(57)【特許請求の範囲】
【請求項１】
照明が必要とされる場所における設置部位に当接配置され、裏面に放熱溝が設けられているベース部材と、このベース部材に固定されるソケットベースと、照明灯を着脱自在にして電気的に接続支持するソケット体をソケットベースと共にソケット体の両側外面で嵌め合わせ支持して、ベース部材に着脱自在に固定されるソケットカバーと、照明灯の先端部を支持してベース部材に着脱自在に固定される支持キャップ体と、ソケットカバーと支持キャップ体との間で位置決め固定されて照明灯を覆うようにベース部材にスライド自在に嵌め合わせられる照明カバー体とを備えて成ることを特徴とする照明装置。
【請求項２】
照明が必要とされる場所における設置部位に当接配置され、裏面に放熱溝が設けられているベース部材と、このベース部材に固定される第１、第２のソケットベースと、第１、第２の照明灯を着脱自在にして電気的に接続支持する第１、第２のソケット体をソケットベースと共にソケット体の両側外面で嵌め合わせ支持して、ベース部材に着脱自在に固定される第１、第２のソケットカバーと、第１、第２の照明灯の先端部それぞれを支持してベース部材に着脱自在に固定されるグリップ体と、第１、第２のソケットカバー相互間で位置決め固定されて照明灯を覆うようにベース部材にスライド自在に嵌め合わせられる照明カバー体とを備えて成ることを特徴とする照明装置。
【請求項３】
照明カバー体は、ベース部材にスライド自在に噛み合うようにしたカバー係合部を開口部縁に形成して成る請求項１または２に記載の照明装置。
【請求項４】
ベース部材は、設置部位に当接状態で配置される所定幅員の長尺帯板状のベース部と、このベース部の底面に形成した複数の溝状の放熱溝と、ベース部の両側縁に対状に配置形成されていて、照明カバー体がスライド自在に係合、支持される溝状の係合部とから成る請求項３に記載の照明装置。
【請求項５】
係合部は、ベース部の縁部で立ち上がっている直立状の外側支持片と、ベース部の内側で立ち上がっていて、外側方向である係合部自体内方に突出している係止片を有する内側支持片とが対峙することで溝条部を形成している請求項４に記載の照明装置。
【請求項６】
カバー係合部は、照明カバー体の開口部縁に、係合部における外側支持片の上端縁及び内面に当接する係合段部と、この係合段部端から照明カバー体の内方側に突出して、内側支持片の係止片の内面に当接係合する当接支持部とを備えている請求項５に記載の照明装置。
【請求項７】
ソケットベースは、ベース部材の内法幅員に対応する幅員を有した平面矩形板状に形成され、ソケット体に形成されている嵌合突部が嵌合される嵌合凹部を有している請求項１乃至６のいずれかに記載の照明装置。
【請求項８】
ソケットカバーは、ベース部材の端部でベース部材に固定されるドーム状を呈し、ソケット体に形成されている嵌合突部と嵌合する嵌合部を内部に有しており、また、閉塞されている後部には電源ケーブルを固定保持するほぼリング状のケーブル挿通体を設け、内部には外部からの電源を取り入れ、照明灯の点灯・消灯用のスイッチを備えた盤状の電源ユニットを嵌合することで支持するようになっている請求項１乃至７のいずれかに記載の照明装置。
【請求項９】
支持キャップ体は、ベース部材の端部でベース部材に固定されるドーム状を呈し、照明灯の先端部を把持するほぼＣ字状を呈するグリップ部を内部に有している請求項１に記載の照明装置。
【請求項１０】
グリップ体は、ベース部材上に固定される基盤上に、１個あるいは対状に設けたグリップ部を形成してある請求項２に記載の照明装置。
【発明の詳細な説明】
【技術分野】
【０００１】
本発明は主として例えば建屋の構築部材であるＨ型鋼、チャンネル型鋼における狭隘な空間でも設置可能で、点灯照明する蛍光ランプ等の照明灯に生じる熱の放熱性、照明灯交換時の作業容易性、構成部材の点検容易性等が得られる照明装置に関する。
【背景技術】
【０００２】
従来から、工場その他の各種の産業上の施設においての照明設備として、蛍光ランプ、白熱電灯その他が使用されており、例えば多数の蛍光ランプを直列配置して全体の照明としている。また、その配置に際し、蛍光ランプ等は照明カバーにて覆われることで、その保護が図られており、例えば特許文献１乃至４である。
【特許文献１】実開平７−１６３１０号公報
【特許文献２】特開平１１−２８３４３３号公報
【特許文献３】特開２００５−１０８６７７号公報
【特許文献４】特開２００５−１３５８８５号公報
【発明の開示】
【発明が解決しようとする課題】
【０００３】
このような従来の照明装置にあっては、蛍光ランプ等を直列的に配置構成することは可能であっても、使用寿命に伴う蛍光ランプの交換、保守点検その他が面倒であり、特に直付け式に設置する場合には、蛍光ランプから生じる発熱を適宜に放散させる必要があるにもかかわらず、それの適切な処理がなされていないのが実情である。また、保守点検に際し、照明器具を構成する各部材の組合せが複雑であることから、これらを容易には分解、組立ができず、取り外し可能な蛍光ランプの点検のみが簡単にできるにすぎないものであった。
【０００４】
更に、直列配置の２灯構成とする場合、その点灯構成の各部材は共に、蛍光ランプ数に対応した数とされると共に、その電源ケーブルの引き回しは外部に露出されることにもなり、不体裁なものとなる。そればかりでなく、実際の施工に際して、設置現場の状況によって蛍光ランプの取付数を変更する場合が生じても、その変更自体が極めて面倒であり、煩わしいものであった。
【０００５】
そこで本発明は叙上のような従来存した諸事情に鑑み創出されたもので、その目的は照明装置自体を設置部位に直接に取り付ける直付け方式によっても蛍光ランプ等の照明灯から生じる発熱を適当に放散でき、その使用寿命を長期にわたり維持でき、また構成各部材に簡単に分解し、また組み立てることができて、その保守点検を容易にし、狭隘な場所でも設置可能にした照明装置を提供することにある。
【課題を解決するための手段】
【０００６】
上述した課題を解決するため、本発明にあっては、例えば１灯式として構成する場合には、照明が必要とされる場所における設置部位に当接配置され、裏面に放熱溝３が設けられているベース部材１と、このベース部材１に固定されるソケットベース２５と、照明灯Ｌを着脱自在にして電気的に接続支持するソケット体２０をソケットベース２５と共にソケット体２０の両側外面で嵌め合わせ支持して、ベース部材１に着脱自在に固定されるソケットカバー３０と、照明灯Ｌの先端部を支持してベース部材１に着脱自在に固定される支持キャップ体４０と、ソケットカバー３０と支持キャップ体４０との間で位置決め固定されて照明灯Ｌを覆うようにベース部材１にスライド自在に嵌め合わせられる照明カバー体１０とを備えて成る。
また、直列配置の２灯式として構成される場合には、照明が必要とされる場所における設置部位に当接配置され、裏面に放熱溝３が設けられているベース部材１と、このベース部材１に固定される第１、第２のソケットベース２５と、第１、第２の照明灯Ｌを着脱自在にして電気的に接続支持する第１、第２のソケット体２０をソケットベース２５と共にソケット体２０の両側外面で嵌め合わせ支持して、ベース部材１に着脱自在に固定される第１、第２のソケットカバー３０と、第１、第２の照明灯Ｌの先端部それぞれを支持してベース部材１に着脱自在に固定されるグリップ体４５と、第１、第２のソケットカバー３０相互間で位置決め固定されて照明灯Ｌを覆うようにベース部材１にスライド自在に嵌め合わせられる照明カバー体１０とを備えて成る。
ベース部材１は、設置部位に当接状態で配置される所定幅員の長尺帯板状のベース部２と、このベース部２の底面に形成した複数の溝状の放熱溝３と、ベース部２の両側縁に対状に配置形成した溝状の係合部４とから成り、係合部４は、ベース部２の縁部で立ち上がっている直立状の外側支持片５と、ベース部２の内側で立ち上がっていて、外側方向である係合部４自体内方に突出している係止片７を有する内側支持片６とが対峙することで溝条部を形成しているものとして構成できる。
照明カバー体１０は、ベース部材１における係合部４にスライド自在に噛み合うようにしたカバー係合部１１を開口部縁に形成して成り、このカバー係合部１１は、照明カバー体１０の開口部縁に、係合部４における外側支持片５の上端縁及び内面に当接する係合段部１２と、この係合段部１２端から照明カバー体１０の内方側に突出して、内側支持片６の係止片７の内面に当接係合する当接支持部１３とを備えているものとして構成できる。
ソケットベース２５は、ベース部材１の内法幅員、すなわちベース部２の幅員に対応する幅員を有した平面矩形板状に形成され、ソケット体２０に形成されている嵌合突部２３が嵌合される嵌合凹部２６を有している。
ソケットカバー３０は、ベース部材１の端部でベース部材１に固定されるドーム状を呈し、ソケット体２０に形成されている嵌合突部２３と嵌合する嵌合部３２を内部に有しており、また、閉塞されている後部には電源ケーブルＣを固定保持するほぼリング状のケーブル挿通体３１を設け、内部には外部からの電源を取り入れ、照明灯Ｌの点灯・消灯用のスイッチＳを備えた盤状の電源ユニットＵを嵌合することで支持するようになっている。  支持キャップ体４０は、ベース部材１の端部でベース部材１に固定されるドーム状を呈し、照明灯Ｌの先端部を把持するほぼＣ字状を呈するグリップ部４１を内部に有している。
また、グリップ体４５は、ベース部材１上に固定される基盤上に、１個あるいは対状に設けたグリップ部４６を形成してある。
【０００７】
以上のように構成された本発明に係る照明装置にあって、所定の設置場所に取り付けたベース部材１に固定するソケットベース２５、ソケットカバー３０によって照明灯Ｌを接続支持するソケット体２０を固定し、照明灯Ｌの先端部を支持キャップ体４０あるいはグリップ体４５によって支持することで、照明灯Ｌを１灯あるいは２灯の態様にして設置させ、また、照明灯Ｌを照明カバー体１０によって保護させる。
ベース部材１に対するソケットカバー３０、支持キャップ体４０、グリップ体４５等の固定を解除し、照明カバー体１０を僅かにでもスライドすることで、照明灯Ｌが取り付けられているソケット体２０を前方に引き出し、広い作業空間内で照明灯Ｌの交換、各構成部材の点検を可能にさせる。
ベース部材１裏面の放熱溝３は、ベース部材１裏面の外気との接触面積を増大させ、照明灯Ｌに生じた発熱をベース部材１自体を通じて外部に放散させる。
ベース部材１の係合部４と照明カバー体１０のカバー係合部１１との嵌め合いは、係合部４の外側支持片５にカバー係合部１１の係合段部１２が、係合部４の内側支持片６の係止片７にカバー係合部１１の当接支持部１３それぞれが噛み合い状となり、ベース部材１に対する照明カバー体１０のスライドによる嵌め合いは可能にするも、嵌め合い後更には照明灯Ｌ交換時における照明カバー体１０の直接の離脱は阻止させ、また使用時の照明灯Ｌを確実に保護する。
ソケットベース２５の嵌合凹部２６、ソケットカバー３０の嵌合部３２それぞれは、ソケット体２０の両側外面に形成されている嵌合突部２３それぞれに嵌め合い、ソケット体２０を両側から支持した状態でベース部材１上で固定支持し、ソケット体２０に接続支持した照明灯Ｌをベース部材１上で確実に支持させる。
ベース部材１上で、一方の端部側ではソケットベース２５、ソケットカバー３０、ソケット体２０によって照明灯Ｌを支持し、他方の端部側では支持キャップ体４０によって照明灯Ｌの先端部を支持することで、１灯態様の照明装置とさせる。また、ベース部材１上で、一方の端部側では第１のソケットベース２５、第１のソケットカバー３０、第１のソケット体２０によって第１の照明灯Ｌを支持し、他方の端部側では第２のソケットベース２５、第２のソケットカバー３０、第２のソケット体２０によって第２の照明灯Ｌを支持し、さらにグリップ体４５によって第１、第２の照明灯Ｌの先端部それぞれを支持することで、２灯態様の照明装置とさせる。そして、２灯構成とする場合の電源ケーブルＣは外部に露出させずにベース部材１の係合部４内に収納隠蔽させ、ソケットカバー３０、ソケット体２０等を移動スライドさせるときでも電源ケーブルＣを保護し、また体裁を良好なものとさせる。
【発明の効果】
【０００８】
本発明は以上説明したように構成されているため、照明装置自体を設置部位に直接に取り付ける直付け方式によっても照明灯Ｌから生じる発熱を適当に放散でき、その使用寿命を長期にわたり維持できる。また設置部位で固定されるベース部材１に取り付けるソケットベース２５、ソケットカバー３０、ソケット体２０、支持キャップ体４０あるいはグリップ体４５それぞれの構成各部材に簡単に分解し、また組み立てることができて、照明灯Ｌの交換、各部材等の保守点検が容易である。更にベース部材１の幅員があれば狭隘な場所でも簡単に設置可能であり、しかも、その取付に際して照明灯Ｌを１灯式とするも２灯式とすることの選定も容易であり、設置態様も汎用性があり、便利である。
【０００９】
すなわちこれは、本発明において、放熱溝３を有するベース部材１に対し、ソケットベース２５と共にソケット体２０をその両側外面で嵌め合わせ支持するソケットカバー３０、照明灯Ｌの先端部を支持する支持キャップ体４０、照明灯Ｌを覆う照明カバー体１０等を着脱自在に固定することで１灯の照明灯Ｌを保持するようにし、また、同様に、放熱溝３を有するベース部材１に対し、第１、第２のソケットベース２５と共に第１、第２のソケット体２０をその両側外面で嵌め合わせ支持する第１、第２のソケットカバー３０、第１、第２の照明灯Ｌの先端部それぞれを支持するグリップ体４５、第１、第２の照明灯Ｌを共に覆う照明カバー体１０を着脱自在に固定することで２灯の照明灯Ｌを保持するようにしたからである。これによって、直付け方式によった場合の放熱性の確保、コンパクトな照明灯Ｌを利用した１灯あるいは２灯の設置態様の選定、構成各部材の分解・組立による保守点検の容易性、狭隘な場所での設置等の利点を得ることができる。
【００１０】
また、照明灯Ｌの交換等に際し、ベース部材１に固定のソケットカバー３０を取り外し、照明カバー体１０を僅かにスライドさせることで、照明灯Ｌが接続されているソケット体２０を取り出すことができ、設置部位の前方の広い空間で交換、点検作業を行うことができる。このとき、照明カバー体１０はベース部材１に、カバー係合部１１、係合部４両者によって確実に噛み合よっているから、ベース部材１から離脱せず、落下することもなく、安全に作業を行うことができる。
【００１１】
ベース部材１の裏面には放熱溝３を設けてあるから、ベース部材１裏面における外気との接触面積を増大させており、ベース部材１によって支持される照明灯Ｌに生じた発熱は、ベース部材１自体を通じて外部に円滑に放散させることができ、照明灯Ｌの使用寿命を延命化させる。
【００１２】
ベース部材１の両側縁に対状に配置した溝状の係合部４に、照明カバー体１０の開口部縁に設けたカバー係合部１１を噛み合わせることで、照明灯Ｌを覆う照明カバー体１０をベース部材１にスライド自在にして固定するから、照明カバー体１０によって照明灯Ｌを確実に保護できる。しかも、係合部４の外側支持片５にカバー係合部１１の係合段部１２が、係合部４の内側支持片６にカバー係合部１１の当接支持部１３それぞれが噛み合い状となり、また、当接支持部１３が係止片７に係止していることで、ベース部材１に対する照明カバー体１０の噛み合いは確実であり、スライドした嵌め合い後では、嵌め合い部分の直接の離脱は阻止される。
【００１３】
しかも、ベース部材１の両側に設けられている係合部４は溝状であるから、ベース部材１に対称的に第１、第２のソケットカバー３０を配置して２灯式態様とする場合、いずれか一方のソケットカバー３０に電源ケーブルＣを接続し、それから電源ケーブルＣを更に分岐するとき、分岐した電源ケーブルＣを係合部４に収納でき、電源ケーブルＣを外部に露出させずに済むことで、体裁を良好にする。また、特に２灯式とする場合に係合部４内に収納配線した電源ケーブルＣはソケット体２０等と共に移動スライドするから、外れることもなく安全に保護されている。
【００１４】
ソケットベース２５の嵌合凹部２６、ソケットカバー３０の嵌合部３２両者によってソケット体２０の両側外面における嵌合突部２３に嵌め合わせた状態とし、またソケットベース２５、ソケットカバー３０両者が共にベース部材１に固定されることで、ソケット体２０をベース部材１にしっかりと支持固定し、これによって照明灯Ｌを確実に保持するものとなる。そればかりでなく、照明灯Ｌの交換時では、ソケットカバー３０を取り外すことでソケット体２０更には照明灯Ｌをも外部に取り出すことができる。
【００１５】
ベース部材１には、一方の端部側では、ソケットベース２５、ソケットカバー３０、ソケット体２０によって１個の照明灯Ｌを支持し、他方の端部側では支持キャップ体４０によってその照明灯Ｌの先端部を支持することで、１灯態様の照明装置とさせることができる。また、一方の端部側では第１のソケットベース２５、第１のソケットカバー３０、第１のソケット体２０によって第１の照明灯Ｌを支持し、他方の端部側では第２のソケットベース２５、第２のソケットカバー３０、第２のソケット体２０によって第２の照明灯Ｌを支持し、さらにグリップ体４５によって第１、第２の照明灯Ｌの先端部それぞれを支持することで左右対称的に２個の照明灯Ｌを装着することが可能であり、こうすることで２灯態様の照明装置とさせることができる。
【００１６】
このような１灯態様とするか、２灯態様とするかの選定は、構成部材数の適宜な選定によって可能であり、また設置現場においても照明環境等の周囲状況によって適宜に設定可能である。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【発明を実施するための最良の形態】
【００１８】
以下図面を参照して本発明を実施するための最良の一形態を説明する。図において示される符号１は例えば自動車整備工場、各種機器・部材の製造工場その他において照明を必要とする場所における設置部位、例えばその建屋の構築部材Ｈに取り付けられるベース部材であり、このベース部材１に照明灯Ｌ、ソケット体２０、照明カバー体１０その他が取り付けられて、照明装置が構成されている。
【００１９】
ベース部材１自体は、照明が必要とされる場所における設置部位、例えば工場建屋における柱、梁等として使用されているＩ形鋼、Ｈ形鋼、Ｕ形鋼等の所定の構築部材Ｈにねじ止め等で固定される帯状材から成り、例えばアルミニウムを素材として押し出し成形されることで形成される。図示のように、設置部位に当接状態で配置される所定幅員の長尺帯板状のベース部２と、このベース部２の底面に形成した複数の溝状の放熱溝３と、ベース部２の両側縁に対状に配置形成した溝状の係合部４とから成る。
【００２０】
ベース部２の幅員は例えば構築材として利用される形鋼材における溝形空隙内にすっぽりと収まるように空隙の内法幅員に比し大きくはないものとしてある。放熱溝３は、断面で例えば矩形状を呈する細幅にしてベース部２の長さ方向に沿って例えば６条で配設されており、その断面形状、数等は図示例に限定されるものではない。
【００２１】
係合部４は、ベース部材１上に配置固定した所定の照明灯Ｌを保護すべく、照明灯Ｌを覆うようにした断面で溝形状を呈する透光性ある照明カバー体１０を直接には脱離できないようにしてスライド自在に係合、支持するようにしてある。そのため、図２に示すように、この係合部４自体は、基本的にはベース部２の両縁部で溝状に形成されており、ベース部２の縁部で立ち上がっている直立状の外側支持片５と、ベース部２の内側で立ち上がっていて、外側方向である係合部４自体内方に突出している係止片７を有する内側支持片６とが対峙することで溝条部を形成している。これらの外側支持片５、内側支持片６には、照明カバー体１０の開口部縁に形成したカバー係合部１１が噛み合うものとしてあり、このカバー係合部１１は照明カバー体１０の開口部縁に、外側支持片５の上端縁及び内面に当接する係合段部１２と、この係合段部１２端から照明カバー体１０の内方側に突出して、内側支持片６の係止片７の内面に当接係合する当接支持部１３とを備えている。このように、ベース部２における係合部４に対して、照明カバー体１０における段部状のカバー係合部１１が噛み合うことで、またその噛み合いがベース部２、照明カバー体１０両者の端縁同士のみの噛み合いスライドによることで、ベース部２に対して照明カバー体１０を取付可能で、取り付け後では照明カバー体１０は、例えば照明灯Ｌの交換時等でベース部材１に対してスライド可能でもベース部２から直接には離脱せず、落下もしないものとしている。
【００２２】
照明灯Ｌは、安定器内蔵型の蛍光ランプのもので、二つ折り細管状の蛍光ランプの端部に一対のピン状の端子Ｌ３を有する口金体Ｌ１を備えて成り、照明灯Ｌ自体は、例えば東芝ライテック株式会社製のネオコンパクト（登録商標）シリーズのＥＦＰの３波長電球色の「ＥＬ」モデル、３波長昼光色の「ＥＮ」モデルの１２Ｗタイプあるいは２０Ｗタイプが予定される。尚、このネオコンパクトシリーズの蛍光ランプは、極めてコンパクトであり、コンパクトであることの利点を発揮するためにも、このＥＦＰ専用の器具であるソケット体２０が使用されることが望ましいとされている。
【００２３】
このような照明灯Ｌをベース部２に固定するように、口金体Ｌ１が嵌め入れられるものとして対応しているソケット体２０がベース部材１に着脱自在に取り付けられ、また、蛍光ランプ先端部を支持する支持キャップ体４０あるいはグリップ体４５が同様にベース部材１に着脱自在に取り付けられている。
【００２４】
ソケット体２０は、図４に示すように、ベース部材１に固着されるソケットベース２５に嵌め合わせられ、また電源に接続される電源ケーブルＣ、電源ユニットＵに接続されている状態で、ベース部材１に固定される後述するソケットカバー３０内に支持固定されることでベース部材１に固定される。図示例のソケット体２０自体は基本的には筒状を呈しており、上記の蛍光ランプの口金体Ｌ１における中央部の両側外面に対状にして三角形状で突設形成された係合突部Ｌ２を弾発的に係止するクリップ２１を筒内部に有し、口金体Ｌ１に設けてあるピン状の端子Ｌ３に電気的に接続させる供給端子２２を備えていると共に、例えばソケット体２０における口金体Ｌ１との嵌め合い方向に沿っており、更には嵌め合い方向に対して直交する方向に沿っている嵌合突部２３を両側外面に対称的に形成して成る（図３参照）。
【００２５】
ソケットベース２５は、ベース部材１におけるベース部２上に例えばネジ止めにて固定されるよう、前記ベース部２の内法幅員に対応する幅員を有した平面矩形板状に形成され、ソケット体２０における前記嵌合突部２３が嵌合される嵌合凹部２６を有している。
【００２６】
ソケットカバー３０はベース部材１の端部で、ベース部材１にネジ止め等で固定されるドーム状を呈し、閉塞されている後部には電源ケーブルＣを固定保持するほぼリング状のケーブル挿通体３１を設け、内部には外部からの電源を取り入れ、照明灯Ｌの点灯・消灯用のスイッチＳを備えた盤状の電源ユニットＵを嵌合することで支持するようになっている。また、ベース部材１にネジ止め固定するとき、前記ソケットベース２５と共に、ソケット体２０を嵌合させて支持するよう、ソケット体２０の嵌合突部２３と嵌合する嵌合部３２を内部に有している（図７参照）。
【００２７】
また、このソケットカバー３０は、後縁がベース部材１の端部の端縁外側面に当接され、両側縁がベース部材１の両縁外側面に当接され、前端縁面が照明カバー体１０の縁面に当接されるようになっている。尚、符号３３は、ソケットカバー３０自体をベース部材１に取り付ける取付ネジを挿通させるようにしてある筒状のネジ取付部である。
【００２８】
こうすることで、ベース部材１上にネジ止め固定したソケットベース２５に、電源ケーブルＣ、電源ユニットＵを介して外部電源に電気的に接続状態であるソケット体２０を嵌合することで、ソケットベース２５とソケットカバー３０とによってベース部材１上にソケット体２０を固定保持するものとしてある。
【００２９】
一方、蛍光ランプの先端部を支持する前記支持キャップ体４０は、ベース部材１の端部で、ベース部材１にネジ止め等で固定されるドーム状を呈し、蛍光ランプの先端部を把持するほぼＣ字状を呈するグリップ部４１を内部に有している。尚、符号４２は、支持キャップ体４０自体をベース部材１に取り付ける取付ネジを挿通させるようにしてある筒状のネジ取付部である（図５、図６参照）。
【００３０】
また、この支持キャップ体４０は、ベース部材１上に１個の照明灯Ｌが固定保持される１灯式である場合にソケットカバー３０と共に使用されるも、照明灯がベース部材１上で２個の照明灯Ｌが対称的に配列される２灯式である場合には、２灯の照明灯Ｌを共に覆う照明カバー体１０のほぼ中央位置で蛍光ランプの端部を支持するグリップ体４５が使用される。このグリップ体４５は、ベース部材１上でネジ止め固定されるようになっている基盤上に、１個あるいは対状に設けたグリップ部４６を形成したものである（図８参照）。
【００３１】
次にこれの使用例の概略を説明する。図９に示すように、照明を必要とする場所、例えば自動車整備工場等におけるＨ形鋼材等の建屋の構築部材Ｈに設置固定するには、ベース部材１を例えばネジ止めすれば良く、ベース部材１の取付空間があればどのような部位でも取付可能としている。そして、ベース部材１の一方の端部側ににネジ止め固定したソケットベース２５に、電源ケーブルＣ、電源ユニットＵ等に接続されているソケット体２０を嵌め合わせるようにしてソケットカバー３０をベース部材１の端部にネジ止め固定しておく。
【００３２】
照明灯Ｌを１灯にして取付構成する場合には、ソケット体２０に所定の照明灯Ｌをその口金体Ｌ１にて挿入して接続し、ベース部材１の他方の端部縁から、係合部４、カバー係合部１１相互を噛み合わせてスライドすることで、照明灯Ｌを覆うように照明カバー体１０をベース部材１に取り付ける。次いで、ベース部材１の他方の端部に、照明灯Ｌの先端部をグリップ部４１にて支持させた支持キャップ体４０を、照明カバー体１０を位置決め固定しながらベース部材１にネジ止め固定する。
【００３３】
照明灯Ｌを直列配置で２灯にして対状に取付構成する場合には、同様にしてベース部材１の端部に取り付けてある第１のソケット体２０に第１の照明灯Ｌをその口金体にて挿入して接続する。また、この第１の照明灯Ｌの先端部、第２の照明灯Ｌの先端部それぞれを支持するグリップ体４５をベース部材１の所定位置にネジ止め固定し、ベース部材１の他方の端部から照明カバー体１０を噛み合わせスライドして、第１の照明灯Ｌを、さらに第２の照明灯Ｌが配置される部位をも覆う。次いで、ベース部材１の他方の端部側に第２のソケットベース２５をネジ止め固定しておき、第２の照明灯Ｌが挿入されている第２のソケット体２０を組み合わせた第２のソケットカバー３０を、第２のソケット体２０が第２のソケットベース２５に嵌め合わせられるように、また照明カバー体１０を位置決め固定しながらベース部材１の他方の端部にネジ止め固定する。すなわち、２灯の照明灯Ｌを配置して構成する場合には、左右で対称的に第１、第２のソケットベース２５、第１、第２のソケット体２０、第１、第２のソケットカバー３０を配置し、照明灯Ｌの先端部それぞれをグリップ体４５にて支持しておいて、第１、第２のソケットカバー３０相互間に照明カバー体１０を位置決め固定する。尚、このような左右対称的配置の対状となる２灯の照明灯Ｌの取付時では、一方の、すなわち第１のソケットカバー３０に接続される第１の照明灯Ｌ用の電源ケーブルＣから、第２の照明灯Ｌ用の電源ケーブルＣを分岐させるもので、この分岐された電源ケーブルＣはベース部材１における係合部４の溝条内に配線収納させれば良く、こうすることで電源ケーブルＣを外部に露出させることなく、引き回しを体裁良く収納保持でき、また、係合部４内でこれに沿う移動スライドも可能にする。
【００３４】
また、照明灯Ｌの交換、点検時等では、ソケットカバー３０、支持キャップ体４０等のネジ止めを解除してソケット体２０の固定を外しておき、また照明カバー体１０を僅かにでもスライドすることで、照明灯Ｌが接続されているソケット体２０をベース部材１から取り外し、設置場所の前方に引き出し、広い作業空間を利用して照明灯Ｌを交換、点検すればよい。更にはソケット体２０自体は取り外し可能であることで、その内部をも視認でき、その電気的接続も含めた内外部全体を点検、修理することも可能である。
【図面の簡単な説明】
【００３５】
【図１】本発明を実施するための最良の形態を示す１灯式の場合の一部省略の分解斜視図である。
【図２】同じく照明灯部位における縦断面図である。
【図３】同じくソケット体部分における一部切欠分解斜視図である。
【図４】同じくソケット体部分における縦断面図である。
【図５】同じく支持キャップ体部分における一部切欠斜視図である。
【図６】同じく支持キャップ体部分における縦断面図である。
【図７】同じく照明灯の交換時あるいは組立時における照明カバー体のスライド状態を示す一部切欠斜視図である。
【図８】同じく２灯式に配置構成した場合の一部省略の分解斜視図である。
【図９】同じく設置使用例の斜視図である。
【符号の説明】
【００３６】
Ｃ…電源ケーブル                        Ｕ…電源ユニット
Ｌ…照明灯                              Ｌ１…口金体
Ｌ２…係合突部                          Ｌ３…端子
Ｓ…スイッチ                            Ｈ…構築部材
１…ベース部材                          ２…ベース部
３…放熱溝                              ４…係合部
５…外側支持片                          ６…内側支持片
７…係止片
１０…照明カバー体                      １１…カバー係合部
１２…係合段部                          １３…当接支持部
２０…ソケット体                        ２１…クリップ
２２…供給端子                          ２３…嵌合突部
２５…ソケットベース                    ２６…嵌合凹部
３０…ソケットカバー                    ３１…ケーブル挿通体
３２…嵌合部                            ３３…ネジ取付部
４０…支持キャップ体                    ４１…グリップ部
４２…ネジ取付部
４５…グリップ体                        ４６…グリップ部
【図１】
0004583437.tif 000002
【図２】
0004583437.tif 000003
【図３】
0004583437.tif 000004
【図４】
0004583437.tif 000005
【図５】
0004583437.tif 000006
【図６】
0004583437.tif 000007
【図７】
0004583437.tif 000008
【図８】
0004583437.tif 000009
【図９】
0004583437.tif 000010